(57)【要約】【課題】本発明は室外機ユニットの接続ターミナルが電装部品箱の内または近傍にあり、接続ケーブル接続時にその接続部が見え難く、また、ターミナル部に水滴や塵埃が滴下し易い構造であったので、作業性や安全性を損なっていた。【解決手段】電装部品箱から一定の距離を引き離した外装側板の開口内部に一体にして形成したタ−ミナル固定部に中継接続ターミナルを固定し、且つ固定部の補強保持させるため、側壁や連結桟で保持力を向上させ、ターミナル接続時の距離とスペースを確保した。【選択図】図３ 
2005180716.tif 000002
【特許請求の範囲】
【請求項１】
電源供給あるいは通信を行なうケーブルを接続するターミナルと、前記ターミナルを筐体側面部の開口部内に固定する固定部と、前記ターミナルとの間で通信する電装部と、前記開口部を覆う保護カバーを持つ空気調和機の室外ユニットにおいて、前記固定部を筐体側面と連続し斜め上方に傾斜した板状の舌部に設け、且つ前記保護カバーの周縁部及び前記開口部の周縁部は複数の段状部を持つことを特徴とする空気調和機の室外ユニット。
【請求項２】
舌部の両側部に三角壁を設けたことを特徴とする、請求項１記載の空気調和機の室外ユニット。
【請求項３】
舌部の一部と筐体とを連結する連結桟を設けたことを特徴とする、請求項１〜２のいずれかに記載の空気調和機の室外ユニット。
【請求項４】
連結桟の一部に開口部を設け、ターミナルと電装部との間のリード線を通した事を特徴とする、請求項３に記載の空気調和機の室外ユニット。
【発明の詳細な説明】
【技術分野】
【０００１】
本発明は空気調和機の室外ユニットに関するものであり、機器を運転制御し駆動させる電装部品箱に電源供給や通信等を行なう電源接続ケーブルで外部より受けて中継接続するターミナル（端子台）とその固定部の取付けと、水分や塵埃からの保護構造に関するものである。
【背景技術】
【０００２】
従来、この種の機器の運転制御し駆動させる電装部品箱に電源供給や通信等を行なう電源接続ケーブルで外部より受けて中継接続するターミナル等は制御用電源の電装部品箱に設けている（例えば、特許文献１参照）。
【０００３】
図７は特許文献１に記載された従来の電源接続コードを中継する構造を示すものである。図７に示すように機器本体１とその内部の電装部品箱５と、ケーブル保護具７と、端子カバー部７ａと、保護部７ｂと、クランプ部７ｃとから構成されている。
【特許文献１】特開平９―２８７７７７号公報
【発明の開示】
【発明が解決しようとする課題】
【０００４】
しかしながら、前記従来の構成では中継接続ターミナルを電装部品箱の側面に直接固定するか、その他の構成部品にてその場所を確保することで上記のような構成をなしていた。
【０００５】
このような構成であると、中継接続するターミナルが、電装部品箱内や近傍であり、電気工事作業者が、ターミナル接続部に工事スペースが少なくなり、ターミナルのケーブル接続状態が見え難いことからこの作業性を悪化させる懸念があり、また、ターミナル取付面が地面に対し鉛直となっており、専ら下方からターミナルの接続部へケーブルを差し込み接続するため、接続が確実にされない場合があり、それによって、接続の機械的接触状態が不安定になり、大きな消費電力を必要とする場合は、中継ターミナル内部の接続部の温度が上昇し、最悪の場合、温度過昇を招く可能性があった。
【０００６】
また、保護カバーと筐体との隙間から水分や塵埃が侵入する可能性があり、前記水分や塵埃がターミナルに付着して温度過昇等の不具合を生じさせる可能性があった。
【課題を解決するための手段】
【０００７】
前記従来の課題を解決するために、本発明は、電源供給あるいは通信を行なうケーブルを接続するターミナルを筐体側面部の開口部内に設けた固定部に設け、前記固定部を筐体側面と連続し斜め上方に傾斜した板状の舌部に設け、且つ前記開口部を覆う保護カバーの周縁部及び前記開口部の周縁部に複数の段状部を持たせたもので、この構成を成すことにより、ターミナルへのケーブル接続の作業性を向上させ、且つ水分や塵埃の付着からターミナル部を保護するものである。
【発明の効果】
【０００８】
本発明の空気調和機の室外ユニットは、ターミナルへのケーブル接続の作業性を向上させ、且つ水分や塵埃の付着からターミナル部を保護するものである。
【発明を実施するための最良の形態】
【０００９】
第１の発明は、電源供給あるいは通信を行なうケーブルを接続するターミナルと、前記
ターミナルを筐体側面部の開口部内に固定する固定部と、前記ターミナルとの間で通信する電装部と、前記開口部を覆う保護カバーを持つ空気調和機の室外ユニットにおいて、前記固定部を筐体側面と連続し斜め上方に傾斜した板状の舌部に設け、且つ前記保護カバーの周縁部及び前記開口部の周縁部は複数の段状部を持つもので、この構成を成すことにより、ターミナル部を傾斜させケーブル線の接続作業を容易にする事が出来る。
【００１０】
第２の発明は、特に、第１の発明の舌部の両側部に三角壁を設けたもので、側壁を一体形成させることで、ターミナル固定部の強度とその保持力が向上できる。
第３の発明は、特に、第１および第２の発明の舌部の一部と筐体とを連結する連結桟を設けたもので、この構成を成すことにより、ターミナル固定部の強度がさらに向上し、その保持力が改善できる。
第４の発明は、特に第３の発明の連結桟の一部に開口部を設け、ターミナルと電装部との間のリード線を通したもので、この構成を成す事により、リード線を筐体部のエッジ部等に当接したり挟むことがなく、機器の安全性が向上改善できる。
【００１１】
以下、本発明の実施の形態について、図面を参照にしながら説明する。なお、この実施の形態によって本発明が限定されるものではない。
【００１２】
（実施の形態１）
図１は、本発明の、第１の実施の形態における空気調和機の室外ユニットの正面と側面図である。
【００１３】
図１において室外ユニット１は、外装前板２と外装側板８等で外装され、内外接続管３は配管カバー７で保護カバーされている。
【００１４】
また、図２は本発明の、実施の形態１における本機の内部構造正面図である。また、図３は本発明の、実施の形態１における本機の内部構造側面詳細図である。
【００１５】
また、図４はターミナル取付部の詳細斜視図である。ターミナル９は外装側板８の一部である側板８ｂの一部を斜め上方に折り曲げたターミナル取付部８ａに取付けられている。
【００１６】
また、ターミナル取付部８ａの両側部には三角壁８ｃが設けられ、取付部８ａの強度を向上させている。
【００１７】
図４に示されているように取付部に取付けられたターミナル９は、室外ユニットの外装側板８の面より内部方向に引込んだ部位に置かれることになるため、配管カバー７と室外ユニットの開口部との接触部に何らかの原因で隙間が生じ、この隙間から水滴や塵埃が内部に落ちてきても、直接ターミナル９に付着することがなく、安全性を確保することができる。
【００１８】
（実施の形態２）
図５は本発明の実施の形態２におけるターミナル固定部の詳細斜視図である。
図６は本発明の第３と第４の実施の形態におけるターミナル固定部の側面図である。前記外装側板８の側面内部に開口させ、舌状に形成したターミナル９のターミナル固定部８ａに連結桟１２でターミナル固定部８ａと外装側板３とをねじ１３等で固定することで、接続ケーブル１０固定時の保持強度を向上することができる。又、ターミナル９との中継リード線６を前記連結桟１２の中央部に形成した穴１２ａを貫通させることで、筐体のエッジへの接触や他の構造物に挟まれること等を防止するでき、リード線の保護安全性の向上が図ることができる。
【図面の簡単な説明】
【００１９】
【図１】本発明の実施の形態１の室外ユニットの正面及び側面図
【図２】本発明の実施の形態１の室外ユニットの正面内部詳細図
【図３】本発明の実施の形態１の室外ユニットの正面と側面の拡大詳細図
【図４】本発明の実施の形態１の室外ユニットのターミナル固定部の詳細斜視図
【図５】本発明の実施の形態２の室外ユニットのターミナル固定部の詳細斜視図
【図６】本発明の実施の形態２の室外ユニットのターミナル固定部の正面及び側面図
【符号の説明】
【００２０】
１  ヒートポンプ熱源機
２  外装前板
３  給水及び温水接続管
４  圧縮機
５  電装部品箱
６  接続リード線（電装部品箱―ターミナル）
７  配管カバー
８  外装側板
８ａ  ターミナル取付部
８ｂ  側板
８ｃ  三角壁
９  ターミナル
１０  接続ケーブル
１１  ケーブル固定具
１２  連結桟
１２ａ  穴部
１３    ねじ
【図１】
2005180716.tif 000003
【図２】
2005180716.tif 000004
【図３】
2005180716.tif 000005
【図４】
2005180716.tif 000006
【図５】
2005180716.tif 000007
【図６】
2005180716.tif 000008